(57)【要約】  水面付近を走行する船などの移動体に設置され、超音波を使用して水中の魚や海底などの情報を可視化して表示する水中情報可視化装置において、  疑似雑音系列信号を生成する疑似雑音系列発生回路及び送信タイミングの疑似雑音系列信号によって搬送波信号を変調して送信信号を形成する変調回路を有する送信信号生成部と、送信信号を超音波として水中に送出する送信部と、超音波のエコーを受信する受信部と、エコーを疑似雑音系列信号によって相関処理を行うことによって、送信信号と対応するエコーを判別する受信信号処理部と、受信信号処理部の出力信号を表示する表示器とを備え、表示器は、複数の受信信号を画面上で同時に表示するようになされ、送信信号の周期は、水中の音波の速度をＶｕとし、海底までの距離をＤとする場合に、（２Ｄ／Ｖｕ）以下とされた水中情報可視化装置である。図６
2020110190.tif 000002
【特許請求の範囲】
【請求項１】
水面付近を走行する船などの移動体に設置され、超音波を使用して水中の魚や海底などの情報を可視化して表示する水中情報可視化装置において、
疑似雑音系列信号を生成する疑似雑音系列発生回路及び送信タイミングの前記疑似雑音系列信号によって搬送波信号を変調して送信信号を形成する変調回路を有する送信信号生成部と、
前記送信信号を超音波として水中に送出する送信部と、
超音波のエコーを受信する受信部と、
前記エコーを前記疑似雑音系列信号によって相関処理を行うことによって、前記送信信号と対応する前記エコーを判別する受信信号処理部と、
前記受信信号処理部の出力信号を表示する表示器とを備え、
前記表示器は、複数の受信信号を画面上で同時に表示するようになされ、
前記送信信号の周期は、水中の音波の速度をＶｕとし、海底までの距離をＤとする場合に、（２Ｄ／Ｖｕ）以下とされた水中情報可視化装置。
【請求項２】
前記送信信号生成部は、移動体の動揺周波数の少なくとも２倍以上の周波数を有する超音波の送信信号を生成し、
所定の深度範囲のある送信時点の受信信号と、次の送信時点の受信信号の相関をとり、相関結果の時間差を計算し、前記時間差の分、時間をずらして前記受信信号を表示するようになされ、
前記所定の深度範囲は、海中を漂う微少な浮遊物の凝集体で、自らは運動能力を持たない水中物体が現れる深度範囲に設定された請求項１に記載の水中情報可視化装置。
【請求項３】
前記表示器は、最初の受信信号を描画しつつ、次の送信が行われた時点で描画を始め、さらにその次の送信が前の受信信号を表示している最中に行われた場合、その受信信号を描画するように、常に複数の送受信信号を画面上で表示するようになされた請求項１又は２に記載の水中情報可視化装置。
【請求項４】
前記受信信号処理部と前記表示器の間にメモリが設けられ、
前記メモリに時間的に連続する複数の受信信号を蓄積し、
前記表示器において、１つの送信毎に１本の線を描画するようになされた請求項１又は２に記載の水中情報可視化装置。
【請求項５】
水面付近を走行する船などの移動体に設置され、超音波を使用して水中の魚や海底などの情報を可視化して表示する水中情報可視化装置において、
疑似雑音系列信号を生成する疑似雑音系列発生回路及び送信タイミングの前記疑似雑音系列信号によって搬送波信号を変調して送信信号を形成する変調回路を有する送信信号生成部と、
前記送信信号を超音波として水中に送出する送信部と、
超音波のエコーを受信する受信部と、
前記エコーを前記疑似雑音系列信号によって相関処理を行うことによって、前記送信信号と対応する前記エコーを判別する受信信号処理部と、
前記受信信号処理部の出力信号を表示する表示器とを備え、
前記表示器によって、複数の受信信号を画面上で同時に表示するようになされ、
前記送信信号の周期は、水中の音波の速度をＶｕとし、海底までの距離をＤとする場合に、（２Ｄ／Ｖｕ）以下とされた水中情報可視化方法。
【請求項６】
前記送信信号生成部は、移動体の動揺周波数の少なくとも２倍以上の周波数を有する超音波の送信信号を生成し、
所定の深度範囲のある送信時点の受信信号と、次の送信時点の受信信号の相関をとり、相関結果の時間差を計算し、前記時間差の分、時間をずらして前記受信信号を表示するようになされ、
前記所定の深度範囲は、海中を漂う微少な浮遊物の凝集体で、自らは運動能力を持たない水中物体が現れる深度範囲に設定された請求項５に記載の水中情報可視化方法。
【請求項７】
前記表示器は、最初の受信信号を描画しつつ、次の送信が行われた時点で描画を始め、さらにその次の送信が前の受信信号を表示している最中に行われた場合、その受信信号を描画するように、常に複数の送受信信号を画面上で表示するようになされた請求項５又は６に記載の水中情報可視化方法。
【請求項８】
前記受信信号処理部と前記表示器の間にメモリが設けられ、
前記メモリに時間的に連続する複数の受信信号を蓄積し、
前記表示器において、１つの送信毎に１本の線を描画するようになされた請求項５又は６に記載の水中情報可視化方法。
【発明の詳細な説明】
【技術分野】
【０００１】
本発明は、超音波を使用して水中の魚や海底などの情報を可視化して表示する水中情報可視化装置及び方法に関する。
【背景技術】
【０００２】
水中情報可視化装置の一つとして魚群探知機（例えば特許文献１参照）が知られている。図１に示すように、魚群探知機は超音波を水中に向けて発射し、水中に存在する水中物体（例えば魚や水中の浮遊物）や海底から反射信号をカラー液晶表示装置等に表示するものである。【０００３】
魚群探知機の表示の方法は、図１に示すような液晶画面の一番右上にいま現在の発信した信号の強度に比例した色を付け、下の方向に水中での超音波の速度に合わせて返ってきたエコーに色を付け表示する。現在の信号の１つ左側には１つ前の送受信信号が描かれている。順次左側は過去の送受信信号が描かれており、１つの画面で船が通過してきた海中の情報が表示されている。図１の例では、一番上の直線は海面を示し、下の方に横たわっているのは海底で、海面と海底の間に表示されているのは魚群（斜線領域で示す）である。この画面は１送信毎に左に画像送りされ最も過去の送受信エコーは画面から消失する。
【先行技術文献】
【特許文献】
【０００４】
【特許文献１】特許第２５６７６４１号公報
【発明の概要】
【発明が解決しようとする課題】
【０００５】
従来の魚群探知機は、短いパルスを送信し、そのパルス信号が海中を伝搬し、魚群などの海中の散乱体と言われる物体からの微弱な反射信号や海底からの比較的大きな反射エコーを１送信毎に１本の線として、反射信号の大きさに比例した色をつけて画面上に表示していた。その送信周期は、送信してから海底からの反射エコーが返ってきてから次の送信を行っていたので、海底までの距離の往復距離を水中音速で割った時間より短くできなかった。例えば、１５０ｍの深さの海底のあるところでは、その往復距離３００ｍを水中音速１５００ｍ／ｓで割った値０．２秒よりも短くできなかった。【０００６】
海底が十分深いところで、海中の魚群などのエコーを表示しようとする場合、送信周期は海底からの反射エコーが存在しないとして速い送信周期にすることはできるが、例えば１秒に１０回送信した場合、その送信周期は０．１秒になるが、最初の送信と次の送信までの時間（０．１秒間）に超音波が往復する距離、すなわち水中音速１５００ｍ／ｓにこの０．１秒をかけた距離１５０ｍの半分７５ｍが有効な表示範囲として画面を表示していた。送信周期０．１秒の時は図２に示すように７５ｍ以上の表示レンジは存在しなかった。存在しても、それは図３に示すように０ｍから７５ｍの範囲を繰り返し表示していただけであった。【０００７】
海底深度をＤ、送信パルスの送信間隔をＴとし、（２Ｄ／１５００）＜Ｔの場合では、図４Ａに示すように、送信パルスと受信エコーの時間差が（２Ｄ／１５００）に対応したものとなり、この時間差から深度を測定できる。しかしながら、（２Ｄ／１５００）≧Ｔの場合では、図４Ｂに示すように、次の送信パルスの送出後に受信エコーが到来するので、受信エコーがどちらの送信パルスに対応したものかが分からなくなり、時間差ＦＤに基づいて誤った深度を計測することになる。したがって、従来では（２Ｄ／１５００）＜Ｔの条件が必要であった。【０００８】
送信周期を短くできないことは、測深の水平方向分解能を小さくできないことになる。図５を参照して船の進行方向（水平方向）の計測の分解能について説明する。船速Ｖ（ｍ／ｓ）で深度Ｄ（ｍ）の測深を行う場合の水平方向の分解能ΔＨ（ｍ）は次式で表される。
ΔＨ＝ＶＴ＞２ＤＶ／１５００【０００９】
例えば船が１０kt（時速１０×１．８５２km）で航行し、送信の周期が１秒の場合、約５ｍ毎にしか測深データは得られない。深度１，０００ｍの海底を計測するには、送信周期Ｔを（１，０００×２）／１，５００＝１．３３秒以上にしないと計測できないが、船が１０ktで航行すれば１．３３秒後には６．７ｍ進んでいるので、計測の分解能ΔＨは６．６７ｍということになる。【００１０】
従来の魚群探知機のような水中情報可視化装置では、計測の分解能を高くするためには船の速度を低下させる以外に方法がなかった。したがって、従来の魚群探知機は、計測の分解能を高くする場合に計測に要する時間が長くなる問題があった。【００１１】
したがって、本発明の目的は、かかる問題を解決することができる水中情報可視化装置および水中情報可視化方法を提供することにある。
【課題を解決するための手段】
【００１２】
本発明は、水面付近を走行する船などの移動体に設置され、超音波を使用して水中の魚や海底などの情報を可視化して表示する水中情報可視化装置において、
疑似雑音系列信号を生成する疑似雑音系列発生回路及び送信タイミングの疑似雑音系列信号によって搬送波信号を変調して送信信号を形成する変調回路を有する送信信号生成部と、
送信信号を超音波として水中に送出する送信部と、
超音波のエコーを受信する受信部と、
エコーを疑似雑音系列信号によって相関処理を行うことによって、送信信号と対応するエコーを判別する受信信号処理部と、
受信信号処理部の出力信号を表示する表示器とを備え、
表示器は、複数の受信信号を画面上で同時に表示するようになされ、
送信信号の周期は、水中の音波の速度をＶｕとし、海底までの距離をＤとする場合に、（２Ｄ／Ｖｕ）以下とされた水中情報可視化装置である。【００１３】
また、本発明は、水面付近を走行する船などの移動体に設置され、超音波を使用して水中の魚や海底などの情報を可視化して表示する水中情報可視化装置において、
疑似雑音系列信号を生成する疑似雑音系列発生回路及び送信タイミングの疑似雑音系列信号によって搬送波信号を変調して送信信号を形成する変調回路を有する送信信号生成部と、
送信信号を超音波として水中に送出する送信部と、
超音波のエコーを受信する受信部と、
エコーを疑似雑音系列信号によって相関処理を行うことによって、送信信号と対応するエコーを判別する受信信号処理部と、
受信信号処理部の出力信号を表示する表示器とを備え、
表示器によって、複数の受信信号を画面上で同時に表示するようになされ、
送信信号の周期は、水中の音波の速度をＶｕとし、海底までの距離をＤとする場合に、（２Ｄ／Ｖｕ）以下とされた水中情報可視化方法である。
【発明の効果】
【００１４】
本発明によれば、水平方向（時間方向）の表示の解像度を高くすることができる。したがって、海中の比較的小型な対象物であっても、その形状を画面上に表示することが可能となる。なお、ここに記載された効果は必ずしも限定されるものではなく、本発明中に記載されたいずれの効果であってもよい。また、以下の説明における例示された効果により本発明の内容が限定して解釈されるものではない。
【図面の簡単な説明】
【００１５】
【図１】図１は従来の魚群探知機の表示方法を示す略線図である。
【図２】図２は従来の魚群探知機の表示方法を示す略線図である。
【図３】図３は従来の魚群探知機の表示方法を示す略線図である。
【図４】図４は従来の魚群探知機の動作の概略を示す略線図である。
【図５】図５は従来の魚群探知機の動作の概略を示す略線図である。
【図６】図６は本発明の一実施形態のブロック図である。
【図７】図７は本発明の表示方法の一例を説明するための略線図である。
【図８】図８は本発明の一実施形態の表示方法を説明するための略線図である。
【図９】図９は本発明の一実施形態のメモリを有する構成の表示方法を説明するための略線図である。
【図１０】図１０は魚群探知機の概略を示す略線図である。
【図１１】図１１は船が波の影響によって上下しているときの海底エコーの表示画像を示す略線図である。
【図１２】図１２は船の動揺によってマリンスノーのエコーが波打っている表示の例を示す略線図である。
【図１３】図１３は従来の魚群探知機の探知範囲を説明するための略線図である。
【図１４】図１４は本発明の一実施形態の探知範囲を説明するための略線図である。
【図１５】図１５は動揺を受けたマリンスノーと海底の画像の説明に用いる略線図である。
【図１６】図１６は本発明による動揺補正を行ったマリンスノーと海底の画像の説明に用いる略線図である。
【図１７】図１７は相関検出の説明に使用する波形図である。
【図１８】図１８はマリンスノーを用いた動揺補正方法の説明に用いる波形図である。
【図１９】図１９Ａ及び図１９Ｂは従来の魚群探知機の表示方法と、本発明による描画方法を示す略線図である。
【図２０】図２０は本発明の応用例である動揺補正装置の一例のブロック図である。
【図２１】図２１は動揺検出補正部の一例のブロック図である。
【図２２】図２２は動揺補正の処理の説明に用いるフローチャートである。
【図２３】図２３は動揺補正の説明に用いる波形図である。
【発明を実施するための形態】
【００１６】
以下、本発明の実施の形態について説明する。なお、以下に説明する実施の形態は、本発明の好適な具体例であり、技術的に好ましい種々の限定が付されているが、本発明の範囲は、以下の説明において、特に本発明を限定する旨の記載がない限り、これらの実施の形態に限定されないものとする。
【００１７】
水中可視化装置の一実施形態について図６を参照して説明する。パルス発生器１は、一定周期のパルス信号の送信トリガパルスを発生する。送信トリガパルスが送信信号生成部２に供給される。送信信号生成部２は、送信パルスとして疑似雑音系列信号例えばゴールドコードを発生し、送信パルスをパルス変調例えばＢＰＳＫ(Binary Phase Shift Keying)によってデジタル変調する。搬送波の周波数は数ｋＨｚ〜数百ｋＨｚとされる。さらに、送信トリガパルスが表示器８に供給される。表示器８は、カラー液晶等の表示装置である。
【００１８】
送信信号生成部２によって生成された送信信号が送信機３に供給され、送信機３において増幅等の処理がなされる。送信機３の出力信号が送受波器４に供給される。送受波器４から水中に対して超音波が送出される。発射された水中超音波のエコーが送受波器４によって受波される。
【００１９】
送受波器４からの受波データが受信アンプ５に供給され、増幅等の処理を受けて後、受信信号処理部６に供給される。受信信号処理部６は、受信信号を前記疑似雑音系列信号によって相関処理を行う。送信信号と受信信号の疑似雑音系列信号が一致する場合に大きな値となる信号を発生し、また、相関処理後の信号がＡ／Ｄ変換されて出力される。
【００２０】
一例として、パルス変調において１ビットが４周期で構成されており、各周期が８サンプルでデジタル化される。したがって、ゴールドコードのコードが１２７ビットの場合、一つの受信エコー信号は、（１２７×４×８＝４０６４ビット）となる。この受信信号と１２７個のゴールドコードのコードのレプリカ（レプリカは４０６４ビット）との一致検出によって相関が検出される。
【００２１】
受信信号処理部６の出力が表示器８の表示エリアと対応するメモリエリアを有するメモリ７に供給される。メモリ７の出力が表示器８に供給される。メモリ７及び表示器８に対しては、パルス発生器１からの送信パルスのタイミングを示すトリガーパルスが供給され、表示器８によって、送信パルスに対して受信されたエコーが表示される。
【００２２】
表示器８に対しては送信トリガパルスが供給されており、送信トリガパルスのタイミングが画面の上側の発信線（０ｍ）として表示される。送信パルスに対するメモリ７からの出力信号に色を付けて発信線から延びるように表示する。ここで、送信パルスの周期は、水中の音波の速度をＶｕとし、測定対象までの距離をＤとする場合に、（２Ｄ／Ｖｕ）以下とされる。
【００２３】
上述した水中情報可視化装置は、従来のような送信周期Ｔに関する制限（（２Ｄ／１５００）＜Ｔ）をなくすことができる。すなわち、水平方向の分解能が次式に示すものとなる。
ΔＨ＝ＶＴ
【００２４】
例えば船が１０kt（時速１０×１．８５２km）で航行し、送信の周期が０．０１秒の場合、ΔＨ＝０．０５ｍとなり、測深深度とは無関係に水平方向の分解能（計測間隔）を決めることができる。深度にかかわらず、送信周期Ｔと船速Ｖのみから水平方向の分解能ΔＨが決められる。このように、送信周期Ｔを短いものとでき、深度とは関係なく測深が可能となり、高い水平の計測分解能を得ることができる。
【００２５】
特に、本発明の一実施形態では、表示器８における水平方向（時間方向）の表示の解像度を高くすることができる。したがって、海中の比較的小型な対象物であっても、その形状を画面上に表示することが可能となる。
【００２６】
表示器８における表示について説明する。本発明においては、メモリ７を設けずに、リアルタイムでの表示も可能である。すなわち、図７に示すように、例えば時間的に連続する３個の送信パルスに対応する描画を例にとると、２送信過去の描画と、１送信過去の描画と、現在送信の描画とが時間的に平行して（重なり合って）行われる。表示は、受信信号のレベルに応じた色付けがされたものである。すなわち、最初の送信による受信エコーの全てが受信し終えない間に次の送信を行い受信エコーが得られるので、最初の送受信信号を描画しつつ、次の送信が行われた時点で描画を始める。さらにその次の送信が前の受信エコーを表示している最中に行われた場合、その送受信信号を描画するので、常に複数の送受信信号が画面上で表示されることになる。
【００２７】
本発明の一実施形態のようにメモリ７を有する場合の表示方式を図８に示す。時間的に連続する複数の送受信信号をメモリに順次蓄積し、確定した信号のみを描画（表示）するようになされる。未確定の信号はメモリ７に蓄積しておく。メモリ７が表示器８の表示画面に対応しているので、表示器８には、複数の受信エコーに対応する表示が同時に行われる。
【００２８】
図９は、メモリ７の一例を示す。一例として、１０００回の送信分のデータを蓄積可能な容量をメモリ７が有する。１回の送信では、０．１ｍ毎のデータが記憶可能とされている。１００ｍの深さの水中を表示する場合では、１０００画素のデータを記憶するようになされる。
【００２９】
メモリ７に対して例えば現在送信に対する受信データ、１送信過去に対する受信データ及び２送信過去に対する受信データが書き込まれている状態が図７に示されている。さらに、前の受信データは、確定済であり、メモリ７に蓄積されている。このメモリ７に蓄えられている書き込み済の受信データの部分（図９の例では１０００−３＝９９７個の受信データ）が表示器８に表示されている。
【００３０】
上述した本発明の一実施形態は、送信周期が従来の魚群探知機の１０倍以上で送信を行うことができるので、そこから得られる情報も１０倍以上となり、これまで見ることができなかった海中の情報を得ることができるようになり、それによってこれまでできなかったことができるようになる。
【００３１】
次に、本発明の応用例としての動揺補正装置について説明する。図１０に示すように、魚群探知機は超音波を水中に向けて発射し、水中に存在する水中物体（例えば魚や水中の浮遊物）や海底から反射信号をカラー液晶表示装置等に表示するものである。
【００３２】
魚群探知機の送受波器は通常船底などに固定されているので、表示される情報は波などによる船の動揺の影響を受け、画像が歪んだものになっている。全く起伏のない海底の画像であっても、表示画像は、図１１に示すように波の影響を受け起伏のあるような画像となってしまう。
【００３３】
この船の動揺を検出し、動揺の補正を行うことによって正確な海底や水中の情報の画像を得ることが望ましい。従来では、船の動揺を加速度センサーを使用して検出して動揺補正を行うものもあったが、加速度センサーを設けるために、コストが高くなる問題があった。したがって、加速度センサーを使用しないで正確に動揺補正を行うことができることが望まれる。
【００３４】
海中にはマリンスノーと称される微少な水中物体が数多く存在している。マリンスノーはプランクトンの死骸とか海中の微少なゴミなどが浮遊しているものと言われており、大きさは数マイクロメータから数センチメータ（又はそれ以上）と言われる。肉眼でも観測され、海に潜ると見えるが、まさに雪のように海中に漂った白く光るものがマリンスノーである。マリンスノーはゆっくりと沈下していくがその降下速度は速いものでも１日に数十メーターから数百メータと言われるので、１秒間には、１cm以下の沈下速度である。すなわち、ほとんど静止している状態である。また、表層水（１００ｍ以浅、特に５０ｍ以浅）中で繁殖する微小な植物系性、動物性プランクトンである。本発明においては、マリンスノーに代表されるような「海中を漂う微少（例えば１mm以下）の浮遊物の凝集体で、自らは運動能力を持たないで、超音波の反射信号が得られる水中物体」を対象として扱う。但し、以下の説明では、対象を単にマリンスノーと表現する。
【００３５】
超音波の送信間隔が船の上下動よりも十分速い周期の場合、このマリンスノー（特に、糸状，線状のもの）は、図１２に示すように船の動揺の影響を受け、上下に波打ったような画像として表示される。マリンスノーは短い時間では一定の水深に留まっているとみなされるので、この画像は船の動揺そのものを表したものであると考えられる。
【００３６】
図１３は、従来の魚群探知器による探知動作を示している。船の速度を例えば１０ｋｔとすると、（１０×１．８５２ｋｍ（時速）＝３０８．７ｍ（分速）＝５．１４４ｍ（秒速）となる。従来の魚群探知機では、１００ｍレンジの送信周期は、４回／秒などであり、０．２５秒に１回程度の送信回数である。０．２５秒間では、（５．１４４×０．２５＝１．２８６ｍ）船が進む。魚群探知機の振動子の指向角を例えば５度とすれば、図１３に示すように、１０ｍ直下での送信ビームの拡がりが０．８７ｍとなる。このように従来の魚群探知機は、１回の送信毎に船が１．２９ｍ進んでしまうので、マリンスノーのような微少な物体に超音波が当たるのが１回しかないことになる。
【００３７】
これに対して上述した本発明による水中情報可視化装置は、送信回数を１秒間に従来の魚群探知機に比較して１０倍以上とすることができる。すなわち、図１４に示すように、１送信毎に船が進む距離が０．１２９ｍとなり、振動子の指向角を例えば５度とすれば、１０ｍ直下での送信ビームの拡がりが０．８７ｍに対して、（０．８７÷０．１２９＝７．７）回の送信信号が海中物体例えばマリンスノーにヒットすることになる。すなわち、マリンスノーのような微少物体に対して６回程度の連続エコーが得られる。
【００３８】
なお、１０ｋｔは、船の速度の一例であって、実際には、６ｋｔ程度の船速とされる。この場合の秒速は、約３ｍであり、１回の送信毎に船が進む距離は、０．３８６ｍである。この場合では、（０．８７÷０．０３８６＝２２．５）回の送信信号がマリンスノーに対してヒットすることになるので、より多くの連続エコーを得ることができる。
【００３９】
船が動揺していれば、微少物体例えば海面とほぼ平行な状態のマリンスノーからの受信エコーは、その動揺に合わせた画像を得ることができる。このような微少物体からの受信エコーは、従来の魚群探知機によって得ることが不可能なものであった。
【００４０】
図１５は、船舶に装備した水中情報可視化装置の実際の画像である。図１５の上の部分の画像はマリンスノーが検出されている１２ｍから１７ｍ付近の表示画像で、下の部分の画像は海底が検出されている３５ｍから４５ｍ付近の表示画像である。横軸は送信回数を示している。例えば、この画像では１秒間に４０回送信しているので、１０００回の送信回数は、２５秒に相当する。海底画像を見ると緩やかな起伏があるように見える。
【００４１】
図１６に示すように、本発明によってマリンスノーの画像が直線になるように動揺補正を行うと、海底画像は動揺に起因する起伏がなくなりほぼ平坦な海底地形が現れるようにできる。本発明による動揺の補正方法は、このマリンスノーの画像を利用し、この画像が直線になるように１回毎の受信エコーを移動させる方法である。すなわち、ある１回の受信エコーを基準とし、その受信エコーと次の送信時の受信エコーの相関を取り、その相関の時間差分を補正値として次の受信エコーをその時間差分だけずらせて表示するという方式である。順次前のエコーと相関を繰り返していき、次々と受信エコーの表示開始位置を調整することによって動揺補正後の画像を得ることができる。
【００４２】
超音波の送信周期は、船の動揺の周波数成分の２倍以上でなければならないので、例えば小型船の動揺周波数を１Hzとすれば、その波を正確に捉えるにはその倍以上の周波数でサンプリングしなければならないので、２Hz以上（送信周期に換算したら０．５秒以下）でサンプリングする必要がある。
【００４３】
図１７を参照して時間方向の相関を検出する方法について説明する。横軸が時間経過を示し、縦軸が振幅を示す。点線で示す波形と実線で示す波形とが同一又は相似しているときに、二つの波形の相関をとると、２秒ずれたところに最大値が発生する。すなわち、相関結果から二つの波形は２秒ずれていることが分かる。
【００４４】
図１８は、時間軸上で送信信号とマリンスノーのエコーの受信信号を表したものである。送信信号と受信信号の時間差がマリンスノーの深さ方向の位置に対応し、受信信号の振幅がマリンスノーの大きさと対応している。一例として３種類の深さの位置において、マリンスノーが存在しているものとしている。時間的にマリンスノーが静止していると考えることができるので、マリンスノーの深度の変化は、船の動揺によって生じたものととらえることができる。
【００４５】
また、Ｓ１，Ｓ２，Ｓ３，Ｓ４，Ｓ５は、順番に送信される送信信号と、その送信信号に対する受信信号の組を表している。Ｓ１が基準となる送信信号と受信信号の組である。これらの受信信号の相関をとるようになされる。例えば信号の組Ｓ１の受信信号と信号の組Ｓ２の受信信号の相関をとると、例えば−１０という相関値が得られる。この−１０という値は、Ｓ１の受信信号に対してＳ２の受信信号が１０だけ時間が進んでいることを表している。すなわち、船が波によって下降し、１０だけ深度が浅くなっていることを表している。
【００４６】
次に、信号の組Ｓ２の受信信号と信号の組Ｓ３の受信信号の相関をとると、例えば＋２という相関値が得られる。この＋２という値は、Ｓ２の受信信号に対してＳ３の受信信号が２だけ時間が遅れていることを表している。以下、同様にして、信号の組Ｓ３の受信信号と組Ｓ４の受信信号の相関がとられ、＋１２という相関値が得られ、信号の組Ｓ４の受信信号と組Ｓ５の受信信号の相関がとられ、＋１という相関値が得られる。
【００４７】
なお、相関値を得る方法としては、上述した方法以外に、基準の組Ｓ１の受信信号と他の組Ｓ２，Ｓ３，Ｓ４，Ｓ５の受信信号の相関をとるようにしてもよい。さらに、相関をとる信号の組の数は、送信間隔、検出対象のマリンスノーの大きさなどを考慮して設定される。
【００４８】
図１９Ａ及び図１９Ｂを参照して従来の魚群探知機の表示と本発明による魚群探知機の表示について説明する。図１９Ａは、従来の魚群探知機の表示の方法を示した図であり、表示の基準となるのは送信信号である。送信信号を表示の開始位置にもっていき、順次受信信号に色を付けて表示する。この場合は、受信エコーは船の動揺に併せて位置がズレて表示されることになる。
【００４９】
これに対し、図１９Ｂは、本発明による動揺補正後の表示方法である。図１８を参照して説明したように、相関値が求められ、この相関値に比例した時間だけ受信信号をずらしながら表示する。この動揺補正処理によって、船の動揺を打ち消すような表示になり、マリンスノーのエコーが直線的に表示される。すなわち動揺補正を行った表示が得られるわけである。
【００５０】
マリンスノーを用いた動揺補正機能を備えた水中可視化装置について図２０を参照して説明する。受信信号処理部６とメモリ７の間に、動揺検出補正部９を設けた点以外は、上述した水中情報可視化装置の構成（図６）と同様の構成とされている。動揺検出補正部９は、受信エコーを使用して動揺検出処理を行い、検出された動揺成分によって時間軸方向で受信エコーをシフトさせる動揺補正を行うようになされている。動揺検出補正部９の出力がメモリ７に供給される。メモリ７の出力が表示器８に供給されて表示される。
【００５１】
図２１を参照して動揺検出補正部９の一例について説明する。動揺検出補正部９は、二つのメモリ１１及び１２と、相関器１３と、時間調整回路１４から構成されている。メモリ１１及び１２は、１送信分のデジタル受信信号を記憶する。メモリ１１に対して現在の受信信号が順に書き込まれる。次の受信信号が入力される直前にメモリ１１からメモリ１２に対して記憶されているデータが転送される。メモリ１１及び１２としては、例えばシフトレジスタを使用できる。
【００５２】
相関器１３によって、メモリ１１に記憶されている最新の受信信号と、メモリ１２に記憶されている１送信前の受信信号が相関され、その時間相関値が相関器１３から出力され、１つ前の信号との時間差が計算される。この時間差が船の動揺によって生じた値であるから、その分を時間差調整回路１４に入力し、受信信号をその時間差だけずらせれば動揺補正を行ったことになる。なお、相関器１３においては、マリンスノーが多く存在する深度範囲例えば表層水の範囲又は（５ｍ〜２０ｍ）の範囲の様な具体的な水深範囲において相関をとるようになされる。
【００５３】
動揺検出補正部９の処理について図２２のフローチャートを参照して説明する。処理を開始すると、ステップＳ１において（ｎ−１）番目の受信波形をメモリ１２に保持し、ステップＳ２においてｎ番目の受信波形をメモリ１１に保持する。ステップＳ３において、相関器１３によってこれらの相関をとる。ステップＳ３の相関処理によって二つの受信波形の時間相関値が求められる。ステップＳ４において、時間（深度）差調整がなされる。このようにして波による動揺が補正され、表示器８による表示画像は、動揺成分を除去したものとなる。
【００５４】
図２３Ａ、図２３Ｂ、図２３Ｃ及び図２３Ｄは、横軸を深度とし、縦軸を受信信号（マリンスノーの受信エコー）の相対的強度とした実際の受信信号の例を示している。図２３Ａは、（ｎ−１）番目の受信波形で、深度１２ｍから１８ｍの６ｍ分の波形が示されている。深度１５ｍ付近で、受信信号の強度のピークが存在している。
【００５５】
図２３Ｂは、ｎ番目の受信波形で、図２３Ａと同様に、深度１５ｍ付近で、受信エコーのピークが生じている。これらの二つの受信信号を相関処理すると、図２３Ｃに示す相関処理後の信号波形が得られる。図２３Ｄが図２３Ｃのピーク付近の拡大波形である。この拡大波形から、（ｎ−１）番目の受信波形に対してｎ番目の受信波形が０．０４ｍだけ＋側（深度が増加する方向）にずれていることが分かる。すなわち、このずれは、船が波の影響で上側に持ち上げられたことを意味する。この深度の差を補正値として用いれば、全体の受信信号を動揺補正することができる。
【００５６】
本発明による動揺補正装置によれば、例えば波による動揺成分を正確に検出することができ、検出された動揺成分を使用して動揺補正を行うことができる。加速度センサを使用しないので、コストの増加を防止でき、誤差の影響を少なくできる。
【符号の説明】
【００５７】
１・・・パルス発生器、２・・・送信信号生成部、４・・・送受波器
６・・・受信信号処理部、７・・・メモリ、８・・・表示器、９・・・動揺検出補正部
１１，１２・・・メモリ、１３・・・相関器、１４・・・時間調整回路
【図１】
2020110190.tif 000003
【図２】
2020110190.tif 000004
【図３】
2020110190.tif 000005
【図４】
2020110190.tif 000006
【図５】
2020110190.tif 000007
【図６】
2020110190.tif 000008
【図７】
2020110190.tif 000009
【図８】
2020110190.tif 000010
【図９】
2020110190.tif 000011
【図１０】
2020110190.tif 000012
【図１１】
2020110190.tif 000013
【図１２】
2020110190.tif 000014
【図１３】
2020110190.tif 000015
【図１４】
2020110190.tif 000016
【図１５】
2020110190.tif 000017
【図１６】
2020110190.tif 000018
【図１７】
2020110190.tif 000019
【図１８】
2020110190.tif 000020
【図１９】
2020110190.tif 000021
【図２０】
2020110190.tif 000022
【図２１】
2020110190.tif 000023
【図２２】
2020110190.tif 000024
【図２３】
2020110190.tif 000025
【国際調査報告】
2020110190.tif 000026
2020110190.tif 000027
2020110190.tif 000028
2020110190.tif 000029